(57)【要約】【課題】本発明の課題は、キャップの先端部に、後端側に向かって延びる凸部及び／又は凹部を形成した筆記具のキャップを、簡単な構造で提供することである。【解決手段】本発明は、透明のキャップ本体の先端部に、頭冠を装着してなる合成樹脂製の筆記具のキャップであって、前記キャップ本体の先端部の外壁に、キャップ本体の後端側に向かって延びる凸部及び／または凹部からなる装飾部を形成し、前記頭冠の後端面が、前記キャップ本体の先端部内に位置して装着するとともに、前記頭冠の後端面が、前記凸部及び／または凹部の先端よりも後方に位置することを特徴とする。【選択図】      図１
2008062423.tif 000002
【特許請求の範囲】
【請求項１】
透明のキャップ本体の先端部に、頭冠を装着してなる合成樹脂製の筆記具のキャップであって、前記キャップ本体の先端部の外壁に、キャップ本体の後端側に向かって延びる凸部及び／または凹部からなる装飾部を形成し、前記頭冠の後端面が、前記キャップ本体の先端部内に位置して装着するとともに、前記頭冠の後端面が、前記凸部及び／または凹部の先端よりも後方に位置することを特徴とする筆記具のキャップ。
【請求項２】
前記キャップ本体の先端面を非円形とし、前記装飾部をキャップ本体の先端面に連設したことを特徴とする請求項１に記載の筆記具のキャップ。
【請求項３】
前記筆記具のキャップが、一次側にて前記頭冠を成形し、二次側にて前記キャップ本体を射出成形する二色成形によって形成したことを特徴とする請求項１または２に記載の筆記具のキャップ。
【発明の詳細な説明】
【技術分野】
【０００１】
本発明は、少キャップ本体と該キャップ本体の先端開口部に有底円筒体の頭冠を装着してなる合成樹脂製の筆記具のキャップに関する。
【背景技術】
【０００２】
従来から、筆記具の部品である合成樹脂製のキャップは、重量も軽く樹脂材のもつ材質感と、樹脂の材料により色々な製品を射出成形によって製作することが可能であるため、合成樹脂製のキャップは様々な筆記具に使用されている。合成樹脂としては、アクリル樹脂、ＡＢＳ樹脂、ＡＳ樹脂、ＰＰ樹脂、ＰＣ樹脂、またはＰＥＴ樹脂等が主として使用される。
【０００３】
また、キャップ本体の先端開口部に、頭冠を装着してなる筆記具のキャップもよく知られている。例えば、特開２００２−１１９９０号公報「キャップ式筆記具」や特開２００６−３５６６１号「キャップ」に、キャップ本体の先端部に、頭冠を装着してなる筆記具のキャップが開示されている。
【０００４】
ところで、筆記具のキャップは、陳列台に陳列した状態で使用者の興味を引くため、キャップ本体の先端部に、シールや印刷等によって文字やマーク等の装飾部を施したり、頭冠の色をインキ色と同色としたりする等、様々な工夫を施している。
【０００５】
こうした中、特許文献２に図示されているように、キャップ本体に凸部及び／又は凹部の装飾部を形成し、他のデザインと異なる、新たなデザインを有することで他の筆記具のキャップと差別化することが行われている。
【特許文献１】「特開２００２−１１９９０号公報」
【特許文献１】「特開２００６−３５６６１号公報」
【発明の開示】
【発明が解決しようとする課題】
【０００６】
しかし、頭冠を装着したキャップの先端部に、後端側に向かって延びる凸部及び／又は凹部からなる装飾部を形成する場合には、頭冠及びキャップ本体に凸部及び／又は凹部を設け、頭冠とキャップ本体との凹部が連続するように、位置を合わせる必要があった。そのため、特許文献２のようにキャップ本体の中央部から後端部に凸部及び／又は凹部を形成していた。
【０００７】
本発明は、こうした問題に鑑み、キャップの先端部に、後端側に向かって延びる凸部及び／又は凹部を形成した筆記具のキャップを、簡単な構造で提供するものである。
【課題を解決するための手段】
【０００８】
本発明は前記目的を達成するために、透明のキャップ本体の先端部に、頭冠を装着してなる合成樹脂製の筆記具のキャップであって、前記キャップ本体の先端部の外壁に、キャップ本体の後端側に向かって延びる凸部及び／または凹部からなる装飾部を形成し、前記頭冠の後端面が、前記キャップ本体の先端部内に位置して装着するとともに、前記頭冠の後端面が、前記凸部及び／または凹部の先端よりも後方に位置することを特徴とする。
【０００９】
また、前記キャップ本体の先端面を非円形とし、前記装飾部をキャップ本体の先端面に連設したことを特徴とする。
【００１０】
また、前記筆記具のキャップが、一次側にて前記頭冠を成形し、二次側にて前記キャップ本体を射出成形する二色成形によって形成したことを特徴とする。
【００１１】
尚、本発明において、筆記具のキャップの筆記具本体を装着するために開口した側を後端又は後方とし、その反対方向を先端又は前方という。
【発明の効果】
【００１２】
本発明の筆記具のキャップは前述したような構造なので、キャップの先端部に、後端側に向かって延びる凸部及び／又は凹部を形成した筆記具のキャップを、簡単な構造で提供することができた。
【発明を実施するための最良の形態】
【００１３】
本発明の実施例を図面を用いて説明する。同じ部材、同じ箇所を示すものは同じ符号を付す。
【００１４】
図１から図３に示す実施例１の筆記具のキャップ１は、一次成形に青色の半透明の頭冠３を成形し、二次成形によってポリカーボネート樹脂（ＰＣ樹脂）にて透明のキャップ本体２を成形して筆記具のキャップ１を得ている。この時、キャップ本体２は、先端面２ａを非円形の波形形状とし、この先端面に連続する凹部からなる装飾部２ｂを一体に形成してある。
【００１５】
また、外壁を光沢面とし、キャップ本体２の先端部に転がり防止用の突起４を形成し、キャップ本体２の後端部に微細な凹凸の梨地面からなる滑り止め部５を形成してある。更にまた、頭冠３内にはペン先部を密閉するシール部材６を付設してある。
【００１６】
また、頭冠３の後端面３ａが、キャップ本体２の先端部内に位置して装着してある。そのため、キャップ本体２によって、頭冠３を被うように装着でき、キャップ本体２を透明とし、頭冠３を半透明とすることによって、外部からは、透明のキャップ本体２を通して半透明の頭冠３が視認できるので、キャップ本体２と頭冠３が一体的に形成してあるように見える。更にまた、キャップ本体２の先端面２ａを非円形とし、この先端面に装飾部を連設することによって、先端面を含めた装飾部となり、より一層、装飾効果が得られるとともに、頭冠３との一体感が増すので好ましい。
【００１７】
また、頭冠３の後端面３ａが、装飾部２ｂの先端よりも後方に位置するように頭冠３を装着することによって、頭冠３とキャップ本体２が重なり合う部分にも装飾部２ｂを形成してあるので、装飾部２ｂを形成した部分が、頭冠３からキャップ本体２に連続して設けてあるように見えるので、位置を合わせる必要がなくなるとともに、外部から視認し易い。
【００１８】
尚、頭冠は、キャップ本体を透明としてあれば、頭冠は半透明又は不透明であってもよい。但し、頭冠が不透明の場合には、装飾部は視認し易いが、頭冠とキャップ本体の一体感がないので、キャップ本体を通して見える装飾部の視認性及び頭冠とキャップ本体との一体感を考慮して、頭冠を半透明とすることが最も好ましい。また、装飾部の形状も特に限定されるものではなく、キャップ本体の後端側に向かって延びる形状であれば、凸部及び／または凹部を形成してもよい。
【００１９】
頭冠の装着方法特に限定されるものではないが、頭冠とキャップ本体を二色成形によって形成することで、組立行程の減少となるので好ましい。但し、頭冠とキャップ本体を二色成形する場合には、一次成形に青色の半透明の頭冠３を成形し、二次成形によってポリカーボネート樹脂（ＰＣ樹脂）にて透明のキャップ本体２を成形することが好ましい。これは、頭冠は有底円筒体であるため、凹部を有するキャップ本体に比べて周状に保持しやすいので、二次成形の時に安定して成形することができるためである。
【００２０】
尚、図示はしないが、本発明の実施の形態における筆記具のキャップは、ボールペンチップを備えたインキ収容筒を収容した軸筒等の筆記具本体に着脱自在に装着して筆記具として用いることができる。尚、軸筒等の形状や内部構造の詳細については、本発明の要旨外であるので詳述は省略する。
【００２１】
本実施例では、便宜上、筆記具のキャップをポリカーボネート（ＰＣ樹脂）で形成してあるが、アクリル樹脂、ＡＢＳ樹脂、ＡＳ樹脂、ＰＰ樹脂、ＰＣ樹脂、またはＰＥＴ樹脂等の合成樹脂材料など、筆記具用キャップして一般的に用いられる合成樹脂材料のなかから適宜選定すればよい。
【産業上の利用可能性】
【００２２】
本発明の筆記具のキャップは、ボールペンやマーカーなど、インキの種類やペン先形状に限定されることなく使用することができる。
【図面の簡単な説明】
【００２３】
【図１】本発明の筆記具のキャップを示す、外観図である。
【図２】図１における縦断面図である。
【図３】図２におけるＡ−Ａ断面図である。
【符号の説明】
【００２４】
１  筆記具のキャップ
２  キャップ本体
２ａ  先端面
２ｂ  装飾部
３  頭冠
３ａ  後端面
４  突起
５  滑り止め部
６  シール部材
【図１】
2008062423.tif 000003
【図２】
2008062423.tif 000004
【図３】
2008062423.tif 000005